(57)【要約】      （修正有）【課題】ゴルフバッグをカートに載せた際にも、水平状態を維持することが可能な枠体及びそれを用いたゴルフバッグを提供する。【解決手段】枠体、及びゴルフバッグは、周面が、水平な底面部２Ａと、底面部の右端より連続した水平な右側面部２Ｃと、底面部の左端より連続した水平な左側面部２Ｂと、一端が右側面部に連続し、他端が左側面部に連続した、湾曲した上面部２Ｄと、からなる、中空の上部枠体２と、上部枠体の下方において上部枠体に連続し、上部枠体よりも外径が小さい中空の下部枠体３と、上部枠体の内面に装着され、内部を領域分けする複数の仕切り板４Ａ乃至４Ｄとを備える。【選択図】図１
0003230756.tif 000002
【実用新案登録請求の範囲】
【請求項１】
周面が、水平な底面部と、前記底面部の右端より連続した水平な左側面部と、前記底面部の左端より連続した水平な左側面部と、一端が前記右側面部に連続し、他端が前記左側面部に連続した、湾曲した上面部と、からなる、中空の上部枠体と、
前記上部枠体の下方において前記上部枠体に連続するもので、前記上部枠体よりも外径が小さい中空の下部枠体と、
前記上部枠体の内面に装着され、前記内部を領域分けする複数の仕切り板と、
を備えた枠体。
【請求項２】
前記仕切り板には、収納されたゴルフクラブの位置を規制するための突部が設けられている
請求項１に記載の枠体。
【請求項３】
前記上部枠体の前記底面部は、カートに載置されたときに、当該カートに当接する
請求項１又は請求項２に記載の枠体。
【請求項４】
請求項１乃至請求項３のいずれか１項に記載の枠体を用いたゴルフバッグ。
【考案の詳細な説明】
【技術分野】
【０００１】
本考案は、枠体、及びそれを用いたゴルフバッグに関する。
【背景技術】
【０００２】
従来、ゴルフバッグでは、その開口部に、枠体が設けられ、多種類のゴルフクラブ等を種別により区分けして収納することが可能となっている。
【０００３】
ここで、例えば特許文献１では、有底の筒状主体に、仕切杆を横架した環状の口辺体を嵌装するとともに、同じく仕切杆を横架した中枠体を上記口辺体より下方に内装し、これら口辺体と中枠体との各仕切杆間に仕切壁を張架してなることを特徴とするゴルフバッグが開示されている。
【先行技術文献】
【特許文献】
【０００４】
【特許文献１】実開昭５１−１１０６６３号公報
【考案の概要】
【考案が解決しようとする課題】
【０００５】
しかしながら、従来の枠体は、上下の辺が所定の曲率で湾曲した円弧状であったことから、当該枠体を用いたゴルフバックをカートに載せた際に、水平状態を維持することができず、収納されているゴルフクラブが干渉することがあった。
【０００６】
本考案は、このような課題に鑑みてなされたものであり、その目的とするところは、ゴルフバッグをカートに載せた際にも、水平状態を維持することが可能な枠体及びそれを用いたゴルフバッグを提供することにある。
【課題を解決するための手段】
【０００７】
上記課題を解決するため、本考案の一態様に係る枠体は、周面が、水平な底面部と、前記底面部の右端より連続した水平な左側面部と、前記底面部の左端より連続した水平な左側面部と、一端が前記右側面部に連続し、他端が前記左側面部に連続した、湾曲した上面部と、からなる、中空の上部枠体と、前記上部枠体の下方において前記上部枠体に連続するもので、前記上部枠体よりも外径が小さい中空の下部枠体と、前記上部枠体の内面に装着され、前記内部を領域分けする複数の仕切り板と、を備える。
【０００８】
この態様において、前記仕切り板には、収納されたゴルフクラブの位置を規制するための突部が設けられてよい。前記上部枠体の前記底面部は、カートに載置されたときに、当該カードに当接するようにしてよい。
【０００９】
そして、上記枠体を用いたゴルフバッグも提供される。
【考案の効果】
【００１０】
本考案によれば、ゴルフバッグをカートに載せた際にも、水平状態を維持することが可能な枠体及びそれを用いたゴルフバッグを提供することができる。
【図面の簡単な説明】
【００１１】
【図１】本考案の一実施形態に係る枠体の構成図である。
【図２】同枠体の機能を説明する構成図である。
【図３】同枠体を用いたゴルフバッグの構成図である。
【考案を実施するための形態】
【００１２】
以下、図面を参照しつつ本考案の一実施形態について説明する。
【００１３】
先ず、図１（ａ）乃至図１（ｄ）、及び図２には、本考案の実施形態に関わる枠体の構成を示し説明する。より詳細には、図１（ａ）は同枠体の側面図、図１（ｂ）は同枠体の背面図、図１（ｃ）は同枠体の正面図、図１（ｄ）は同枠体の平面図である。
【００１４】
これらの図に示されるように、枠体１は、中空の上部枠体２と中空の下部枠体３と仕切り板４Ａ乃至４Ｄとで構成されている。上部枠体２は、周面が、水平な底面部２Ａと、底面部２Ａの右端より連続した水平な右側面部２Ｃと、底面部２Ａの左端より連続した水平な左側面部２Ｂと、一端が右側面部２Ｃに連続し、他端が左側面部２Ｂに連続した、所定の曲率で湾曲した上面部２Ｄとからなる。下部枠体３は、上部枠体２の下方において上部枠体２に連続するもので、上部枠体２よりも外径が小さく、中空の筒状となっている。
【００１５】
側面から見た様子は、左側面部２Ｂ、右側面部２Ｃは、底面部２Ａに接続された端から上面部２Ｄに接続あれた端に至るまで、昇るように傾斜している。上面部２Ｄは、左側面部２Ｂ、右側面部２Ｃとの接続端から、下るように傾斜している。
【００１６】
下部枠体３は、水平の底面部３Ａの両端から、当該底面部３Ａに対して略垂直な方向に左側面部３Ｂ、右側面部３Ｃが連続している。左側面部３Ｂ、右側面部３Ｃも、それぞれが水平である。左側面部３Ｂの底面部３Ａに連続している端とは反対側の端は、上面部３Ｄの一端に連続しており、右側面部３Ｃの底面部３Ａに連続している端とは反対側の他端は、上面部３Ｄの他端に連続している。上面部３Ｄは、平面から見たときに、所定の曲率で湾曲した円弧状となっている。
【００１７】
底面部３Ａは、不図示のゴルフバッグへの装着方向に向けて突出した２つの突出部を備えており、上辺部３Ｄは、不図示のゴルフバッグへの装着方向に向けて突出した１つの突出部を備えている。これら合計３つの突出部を備えることにより、枠体１のゴルフバッグへの装着を確実なものとしている。
【００１８】
上部枠体２の中空の内部には、仕切り板４Ａ乃至４Ｄが配設されている。所定の間隔をもって、複数の仕切り板４Ａ乃至４Ｄを配設することで、中空の上部枠体２の内面を複数の領域に区分けすることを可能としている。これは、枠体１を介してゴルフバッグに種類別にゴルフクラブを収納するのに好適である。
【００１９】
各仕切り板４Ａ乃至４Ｃには、突部５ａ乃至５ｈが設けられている。枠体１を用いたゴルフバッグは、ゴルフ場でカートに載置されるときに、底面部２Ａが設置するように置かれるが、図２に示されるように、各仕切り板４Ａ乃至４Ｃの突部５ａ乃至５ｈによれば、カートが横揺れしたときに、ゴルフバッグが横揺れしても、収納されているゴルフクラブ５０が、大きく揺れないように、位置を規制することが可能となる。
【００２０】
なお、各仕切り板４Ａ乃至４Ｄは、樹脂により一体成型することもできる。また、上部枠体２、下部枠体３、及び仕切り板４Ａ乃至４Ｄのすべてを、樹脂により一体成型することも可能である。
【００２１】
図３（ａ）乃至図３（ｄ）には、本考案の実施形態に係る枠体を用いたゴルフバッグの構成を示し説明する。より詳細には、図３（ａ）は同ゴルフバッグの右側面図、図３（ｂ）は同ゴルフバッグの背面図、図３（ｃ）は同ゴルフバッグの左側面図、図３（ｄ）は同ゴルフバッグの正面図である。
【００２２】
これらの図に示されるように、中空のゴルフバッグ１００の上方開口部には、補強部材１００Ａが配設されている。枠体１は、下部枠体３が補強部材１００Ａの中に勘合するように装着される。このとき、上部枠体２の下面に、補強部材１００Ａの上面が当接することで、両者の位置固定がなされることになる。
【００２３】
以上詳述したように、本発明の実施形態によれば、周面が、水平な底面部２Ａと、底面部２Ａの右端より連続した水平な左側面部２Ｃと、底面部２Ａの左端より連続した水平な左側面部２Ｂと、一端が右側面部２Ｃに連続し、他端が左側面部２Ｂに連続した、湾曲した上面部２Ｄと、からなる、中空の上部枠体２と、上部枠体２の下方において上部枠体２に連続するもので、上部枠体２よりも外径が小さい中空の下部枠体３と、上部枠体２の内面に装着され、内部を領域分けする複数の仕切り板４Ａ乃至４Ｄとを備えた枠体が提供される。ここで、仕切り板２Ａ乃至２Ｄには、収納されたゴルフクラブの位置を規制するための突部５Ａ乃至５ｈが設けられている。上部枠体２の底面部２Ａは、カートに載置されたときに、当該カートに当接する。このような枠体を用いたゴルフバッグも提供される。
【００２４】
以上、本考案の一実施形態に係る枠体、及びそれを用いたゴルフバッグについて説明したが、本考案はこれに限定されることなく、その趣旨を逸脱しない範囲で種々の改良、変更が可能であることは勿論である。
【００２５】
例えば、枠体の内部の領域の区分けは、前述した実施形態の数に限定されず、さらに複数とすることも可能である。
【符号の説明】
【００２６】
１…枠体
２…上部枠体
３…下部枠体
４Ａ乃至４Ｄ…仕切り板
５ａ乃至５ｈ…突部
５０…ゴルフクラブ
１００…ゴルフバッグ。
【図１】
0003230756.tif 000003
【図２】
0003230756.tif 000004
【図３】
0003230756.tif 000005
【手続補正書】
【提出日】令和2年12月14日(2020.12.14)
【手続補正１】
【補正対象書類名】実用新案登録請求の範囲
【補正対象項目名】全文
【補正方法】変更
【補正の内容】
【実用新案登録請求の範囲】
【請求項１】
中空のゴルフバッグの上方開口部に勘合される枠体であって、
周面が、水平な底面部と、前記底面部の右端より連続した水平な右側面部と、前記底面部の左端より連続した水平な左側面部と、一端が前記右側面部に連続し、他端が前記左側面部に連続した、湾曲した上面部と、からなる、中空の上部枠体と、
前記上部枠体の下方において前記上部枠体に連続するもので、前記上部枠体よりも外径が小さい中空の下部枠体と、
前記上部枠体の内面に装着され、前記内部を領域分けする複数の仕切り板と、
を備えた枠体。
【請求項２】
前記仕切り板には、収納されたゴルフクラブの位置を規制するための突部が設けられている
請求項１に記載の枠体。
【請求項３】
前記上部枠体の前記底面部は、カートに載置されたときに、当該カートに当接する
請求項１又は請求項２に記載の枠体。
【請求項４】
請求項１乃至請求項３のいずれか１項に記載の枠体を用いたゴルフバッグ。
【手続補正２】
【補正対象書類名】明細書
【補正対象項目名】０００７
【補正方法】変更
【補正の内容】
【０００７】
上記課題を解決するため、本考案の一態様に係る枠体は、中空のゴルフバッグの上方開口部に勘合される枠体であって、周面が、水平な底面部と、前記底面部の右端より連続した水平な右側面部と、前記底面部の左端より連続した水平な左側面部と、一端が前記右側面部に連続し、他端が前記左側面部に連続した、湾曲した上面部と、からなる、中空の上部枠体と、前記上部枠体の下方において前記上部枠体に連続するもので、前記上部枠体よりも外径が小さい中空の下部枠体と、前記上部枠体の内面に装着され、前記内部を領域分けする複数の仕切り板と、を備える。